(57)【要約】      （修正有）【課題】電子装置の開口位置が調整可能な表示モジュールを提供する。【解決手段】表示モジュールは、表示側に第一開口が設けられる表示装置と、表示側に反対する他側に設けられるチェスト１０４と、連動装置１０６とを含む。チェスト１０４は、筐体と、筐体内に設けられ、第一開口に対応する第二開口１２０を備える電子装置１１４と、筐体に固定されるように電子装置１１４の一側に設けられ、第一ガイドレール１２２を備えるフレーム１１６と、フレーム１１６の第一ガイドレール１２２内に枢設され、電子装置を載せるシャシー１１８とを含む。連動装置１０６はシャシー１１８に枢設され筐体と表示装置に固定され、第一開口が第一位置に回転するときにシャシーをフレーム１１６の第一ガイドレール１２２に沿って移動させることで、前記電子装置の第二開口１２０を第一位置に対応する第二位置に移動させる。【選択図】図１２
0003145188.tif 000002
【実用新案登録請求の範囲】
【請求項１】
電子位置の開口位置が調整可能な表示モジュールであって、
表示側に第一開口が設けられる表示装置と、
表示側に反対する他側に設けられるチェストと、
連動装置とを含み、
前記チェストは、
筐体と、
筐体内に設けられ、第一開口に対応する第二開口を備える電子装置と、
筐体に固定されるように電子装置の一側に設けられ、第一ガイドレールを備えるフレームと、
フレームの第一ガイドレール内に枢設され、電子装置を載せるシャシーとを含み、
前記連動装置は前記シャシーに枢設され筐体と表示装置に固定され、第一開口が第一位置に回転するときにシャシーをフレームの第一ガイドレールに沿って移動させることで、前記電子装置の第二開口を第一位置に対応する第二位置に移動させる、表示モジュール。
【請求項２】
前記表示装置は液晶スクリーンである、請求項１に記載の表示モジュール。
【請求項３】
前記電子装置は光ディスクドライブである、請求項１に記載の表示モジュール。
【請求項４】
前記電子装置はメモリカードリーダーである、請求項１に記載の表示モジュール。
【請求項５】
前記チェストは更に、前記シャシーに固設されフレームに枢設され、シャシーがフレームの第一レールに沿って移動することを可能にするネジを含む、請求項１に記載の表示モジュール。
【請求項６】
前記連動装置は回転軸装置である、請求項１に記載の表示モジュール。
【請求項７】
前記連動装置は、
回転軸と、
前記回転軸に枢設される第一留め具と、
前記回転軸に穿設され前記チェストに固定される第二留め具と、
前記シャシーに枢設され前記第一留め具と表示装置に連結され、表示装置の第一開口が前記回転軸に相対して前記第一位置に回転するときにシャシーを連動させることで、前記電子装置の第二開口を前記第二位置に移動させる第三留め具と、
前記回転軸に穿設され、前記第一留め具に摩擦力を与え、前記第二開口を前記第二位置に固定する少なくとも１つの位置決め具とを含む、請求項６に記載の表示モジュール。
【請求項８】
前記第一位置と第二位置は実質的に同じ水平レベルにある、請求項７に記載の表示モジュール。
【請求項９】
前記位置決め具は摩擦パッドである、請求項７に記載の表示モジュール。
【請求項１０】
前記連動装置は更に、前記シャシーに固設され前記第三留め具に枢設され、シャシーが第三留め具に相対して回転することを可能にするネジを含む、請求項７に記載の表示モジュール。
【請求項１１】
前記連動装置は更に、前記回転軸に螺設され、前記位置決め具の摩擦力を調整するための少なくとも１つのナットを含む、請求項７に記載の表示モジュール。
【請求項１２】
前記連動装置は、
回転軸と、
前記回転軸に枢設され前記表示装置に連結される第一留め具と、
前記回転軸に穿設され前記チェストに固定される第二留め具と、
前記シャシーに枢設され前記表示装置に連結され、表示装置の第一開口が前記回転軸に相対して第一位置に回転するときにシャシーを連動させることで、前記電子装置の第二開口を前記第二位置に移動させる第三留め具と、
前記回転軸に穿設され、前記第一留め具に摩擦力を与え、前記第二開口を前記第二位置に固定する少なくとも１つの位置決め具とを含む、請求項６に記載の表示モジュール。
【請求項１３】
前記第一位置と第二位置は実質的に同じ水平レベルにある、請求項１２に記載の表示モジュール。
【請求項１４】
前記位置決め具は摩擦パッドである、請求項１２に記載の表示モジュール。
【請求項１５】
前記連動装置は更に、前記シャシーに固設され前記第三留め具に枢設され、シャシーが第三留め具に相対して回転することを可能にするネジを含む、請求項１２に記載の表示モジュール。
【請求項１６】
前記連動装置は更に、前記回転軸に螺設され、前記位置決め具の摩擦力を調整するための少なくとも１つのナットを含む、請求項１２に記載の表示モジュール。
【請求項１７】
前記連動装置は、
回転軸と、
前記回転軸に穿設され前記表示装置に連結される第一留め具と、
前記回転軸に穿設され前記チェストに固定される第二留め具とを含む回転軸装置と、
前記回転軸に穿設される第一連結棒と、
前記シャシーと第一連結棒に枢設され、第一連結棒の回転とともにシャシーを駆動し、前記電子装置の第二開口を前記第二位置に移動させる第二連結棒と、
前記回転軸に穿設され、前記第一留め具と第一連結棒に摩擦力を与え、前記第二開口を前記第二位置に固定する少なくとも１つの位置決め具とを含む、請求項１に記載の表示モジュール。
【請求項１８】
前記第一位置と第二位置は実質的に同じ水平レベルにある、請求項１７に記載の表示モジュール。
【請求項１９】
前記位置決め具は摩擦パッドである、請求項１７に記載の表示モジュール。
【請求項２０】
前記フレームは更に第二ガイドレールを含み、前記連動装置は更に、前記シャシーに固設され前記第二連結棒に枢設され、シャシーがフレームの第二ガイドレールに沿って移動することを可能にするネジを含む、請求項１７に記載の表示モジュール。
【請求項２１】
前記連動装置は更に、前記第一連結棒に固設され前期第二連結棒に枢設され、第一連結棒が第二連結棒に相対して回転することを可能にするネジを含む、請求項１７に記載の表示モジュール。
【請求項２２】
前記回転軸装置は更に、前記回転軸に螺設され、前記位置決め具の摩擦力を調整するための少なくとも１つのナットを含む、請求項１７に記載の表示モジュール。
【請求項２３】
前記第一位置と第二位置は実質的に同じ水平レベルにある、請求項１７に記載の表示モジュール。
【考案の詳細な説明】
【技術分野】
【０００１】
本考案は表示モジュールに関し、特に電子装置の開口位置が調整可能な表示モジュールに関する。
【背景技術】
【０００２】
電気技術の発展と、薄型化・軽量化・小型化を強調する電子装置の設計動向のもとで、種々の統合型電子製品が開発された。液晶ディスプレイパソコン（ＬＣＤ−ＰＣ）はその代表例である。ＬＣＤ−ＰＣは、コンピュータのすべての部品（ＣＰＵ（中央処理装置）、マザーボード、光ディスクドライブなど）を液晶スクリーンに統合したものであり、コンピュータが占める空間を節減するのみならず、携帯にも便利である。
【０００３】
液晶スクリーン内の空間配置を考慮する上で、従来のＬＣＤ−ＰＣでは一般にディスクドライブ（光ディスクドライブ、メモリカードリーダーなど）を液晶スクリーンの側面に設置する。すなわち、ディスクドライブの開口を液晶スクリーンの側面に設置する。しかしこのような配置は、記憶媒体（例えば光ディスク）を挿入するとき、液晶スクリーンのディスクドライブ開口が正面から見えず、記憶媒体を挿入しにくい欠点を抱え、場合によって記憶媒体が損傷することもある。しかし、この問題を解決するために、ディスクドライブ（光ディスクドライブ、メモリカードリーダーなど）を液晶スクリーンの正面に垂直に設置すれば（すなわち液晶スクリーンの開口とディスクドライブの開口が液晶スクリーンの表示側にある）、液晶スクリーンの表示角度を調整するときに、液晶スクリーンの開口位置の偏移によりディスクドライブの開口が液晶スクリーンの開口に合致しなくなり、記憶媒体をディスクドライブの開口に挿入できない場合がある。しかし、液晶スクリーンの開口サイズを拡大すれば、ＬＣＤ−ＰＣの外観を損ないかねない。
【考案の開示】
【課題を解決するための手段】
【０００４】
本考案では電子位置の開口位置が調整可能な表示モジュールを開示する。当該表示モジュールは、表示側に第一開口が設けられる表示装置と、表示側に反対する他側に設けられるチェストと、連動装置とを含む。前記チェストは、筐体と、筐体内に設けられ、第一開口に対応する第二開口を備える電子装置と、筐体に固定されるように電子装置の一側に設けられ、第一ガイドレールを備えるフレームと、フレームの第一ガイドレール内に枢設され、電子装置を載せるシャシーとを含む。前記連動装置は前記シャシーに枢設され筐体と表示装置に固定され、第一開口が第一位置に回転するときにシャシーをフレームの第一ガイドレールに沿って移動させることで、前記電子装置の第二開口を第一位置に対応する第二位置に移動させる。
【考案を実施するための最良の形態】
【０００５】
かかる装置の特徴を詳述するために、具体的な実施例を挙げ、図示を参照して以下に説明する。
【０００６】
図１を参照する。図１は本考案の実施例１による表示モジュール１０の透視図である。表示モジュール１０は表示装置１２と、チェスト１４と、連動装置１６とを含む。表示装置１２の表示側１８には第一開口２０が設けられている。表示装置１２は例えば液晶スクリーンである。チェスト１４は表示装置１２の表示側１８の反対側に設けられている。図２を参照する。図２は図１に示すチェスト１４と連動装置１６の分解図である。図２に示すように、チェスト１４は筐体２２（図１を参照）と、電子装置２４と、フレーム２６と、シャシー２８とを含む。電子装置２４は図１に示す筐体２２内に設置され、表示装置１２の第一開口２０に対応する第二開口３０を備える。電子装置２４は光ディスクまたはメモリカードリーダーなどのディスクドライブである。フレーム２６は筐体２２に固定され電子装置の一側に設けられ、第一ガイドレール３２を備える。シャシー２８は電子装置２４を載せる。図２に示すように、チェスト１４は更に第一ネジ３４を備える。第一ネジ３４はシャシー２８に固設されフレーム２６に枢設され、シャシー２８がフレーム２６の第一レール３２に沿って移動することを可能にする。また、図１と図２に示すように、連動装置１６はシャシー２８に枢設され筐体２２と表示装置１２に固定されている。本実施例では、連動装置１６は例えば回転軸装置であって、回転軸３６と、第一留め具３８と、第二留め具４０と、第二ネジ４２と、第三留め具４４と、少なくとも１つの位置決め具４６とを含む。第一留め具３８は回転軸３６に枢設され、第二留め具４０は回転軸３６に穿設されチェスト１４の筐体２２に固定されている（図１を参照）。第二ネジ４２はシャシー２８に固設され第三留め具４４に枢設され、シャシー２８が第三留め具４４に相対して回転することを可能にする。第一留め具３８と第三留め具４４は重合して表示装置に螺設されている。言い換えれば、第一留め具３８と第三留め具４４は表示装置１２と連動することができる。位置決め具４６は回転軸３６に穿設され、第一留め具３８に摩擦力を与える。本実施例では、位置決め具４６は例えば摩擦パッドである。また、図２に示すように、連動装置１６は更にナット４８を含み、ナット４８は回転軸３６に螺設され、位置決め具４６の摩擦力を調整する。
【０００７】
次に表示装置１２、チェスト１４、及び連動装置１６の動作関係について詳述する。図３と図４を参照する。図３は図１に示す表示モジュール１０の部分拡大図であり、図４は図１に示す表示装置１２をチェスト１４に相対して右回りに一定角度回転した後の部分拡大図である。図３と図４に示すように、表示装置１２を図３に示す位置から、チェスト１４に相対して右回りに回転して図４に示す位置に移動し、すなわち表示装置１２の第一開口２０が回転軸３６に相対して図４に示す位置に移動するとき、連動装置１６の第三留め具４４が第一留め具３８と表示装置１２に連結されているので、表示装置１２が回転するとともに第三留め具４４と第一留め具３８は回転軸３６に相対して同時に回転する。第三留め具４４はシャシー２８に枢設され（図２を参照）、また前述のようにシャシー２８はフレーム２６の第一レール３２に沿って移動できるので、第三留め具４４は、表示装置１２の第一開口２０が回転軸３６に相対して図４に示す位置に回転すると同時に、シャシー２８を第一ガイドレール３２内に摺動させ第一ガイドレール３２に対応して回転させることで、電子装置２４の第二開口３０を図４に示す位置に移動する。表示装置１２の第一開口２０と電子装置２４の第二開口３０が図３に示す位置から図４に示す位置に移動した後、第一開口２０と第二開口３０は位置決め具４６の摩擦力により図４に示す位置に固定される。図４に示すように、第一開口２０の位置と第二開口３０の位置は実質的に同じ水平レベルにある。したがって、表示装置１２をチェスト１４に相対して右回りに回転し、表示装置１２の第一開口２０を図４に示す位置に移動しても、表示モジュール１０は連動装置１６の第三留め具４４と表示装置１２の連動で電子装置２４の第二開口３０を図４に示す位置に移動し、電子装置２４の第二開口３０と表示装置１２の第一開口２０を実質的に同じ水平レベルにさせる。そうすると、表示装置がチェストに相対して回転した後に、両開口の位置の偏移により、記憶媒体（例えば光ディスク）を表示装置の開口から電子装置に挿入できない問題は解決できる。同じく、表示装置１２をチェスト１４に相対して左回りに一定角度回転すれば（図５を参照）、電子装置２４の第二開口３０は連動装置１６の第三留め具４４と表示装置１２の連動により、偏移した第一開口２０と実質的に同じ水平レベルとなり、電子装置２４の記憶媒体（例えば光ディスク）を第一開口２０を通して第二開口３０に挿入することができる。この場合、素子間の動作はいずれも前述と同じため、ここで説明を省略する。
【０００８】
図６を参照する。図６は本考案の実施例２による表示モジュール５０の透視図である。表示モジュール５０は表示装置５２と、チェスト５４と、連動装置５６とを含む。表示装置５２の表示側５８には第一開口６０が設けられている。表示装置５２は例えば液晶スクリーンである。チェスト５４は表示装置５２の表示側５８の反対側に設けられている。図７を参照する。図７は図６に示すチェスト５４と連動装置５６の分解図である。図７に示すように、チェスト５４は筐体６２（図６を参照）と、電子装置６４と、フレーム６６と、シャシー６８とを含む。電子装置６４は図６に示す筐体６２内に設置され、表示装置５２の第一開口６０に対応する第二開口７０を備える。電子装置６４は光ディスクまたはメモリカードリーダーである。フレーム６６は筐体６２に固定され電子装置６４の一側に設けられ、第一ガイドレール７２を備える。シャシー６８は電子装置７４を載せる。図７に示すように、チェスト６４は更に第一ネジ７４を含む。第一ネジ７４はシャシー６８に固設されフレーム６６に枢設され、シャシー６８がフレーム６６の第一レール７２に沿って移動することを可能にする。また、図６と図７に示すように、連動装置５６はシャシー６８に枢設され筐体６２と表示装置５２に固定されている。本実施例では、連動装置５６は例えば回転軸装置であって、回転軸７６と、第一留め具７８と、第二留め具８０と、第二ネジ８２と、第三留め具８４と、少なくとも１つの位置決め具８６とを含む。第一留め具７８は回転軸７６に枢設され、第二留め具８０は回転軸７６に穿設されチェスト５４の筐体６２に固定されている（図７を参照）。第二ネジ８２はシャシー６８に固設され第三留め具８４に枢設され、シャシー６８が第三留め具８４に相対して回転することを可能にする。第三留め具８４は表示装置５２に連結されている。言い換えれば、第三留め具８４は表示装置５２と連動する。位置決め具８６は回転軸７６に穿設され、第一留め具７８に摩擦力を与える。本実施例では、位置決め具８６は例えば摩擦パッドである。また、図７に示すように、連動装置５６は更にナット８８を含み、ナット８８は回転軸７６に螺設され、位置決め具８６の摩擦力を調整する。
【０００９】
次に表示装置５２、チェスト５４、及び連動装置５６の動作関係について詳述する。図８と図９を参照する。図８は図６に示す表示モジュール５０の部分拡大図であり、図９は図６に示す表示装置５２をチェスト５４に相対して右回りに一定角度回転した後の部分拡大図である。図８と図９に示すように、表示装置５２を図８に示す位置から、チェスト５４に相対して右回りに回転して図９に示す位置に移動し、すなわち表示装置５２の第一開口６０が回転軸７６に相対して図９に示す位置に移動するとき、連動装置５６の第三留め具８４が表示装置５２に連結されているので、表示装置５２が回転するとともに第三留め具８４は回転軸７６に相対して回転する。第三留め具８４はシャシー６８に枢設され（図７を参照）、また前述のようにシャシー６８はフレーム６６の第一レール７２に沿って移動できるので、第三留め具８４は、表示装置５２の第一開口６０が回転軸７６に相対して図９に示す位置に回転すると同時に、シャシー６８を第一ガイドレール７２内に摺動させ第一ガイドレール７２に対応して回転させることで、電子装置６４の第二開口７０を図９に示す位置に移動する。表示装置５２の第一開口６０と電子装置６４の第二開口７０が図９に示す位置に移動した後、第一開口６０と第二開口７０は位置決め具８６の摩擦力により図９に示す位置に固定される。図９に示すように、第一開口６０の位置と第二開口７０の位置は実質的に同じ水平レベルにある。したがって、表示装置５２をチェスト５４に相対して右回りに回転して、表示装置５２の第一開口６０を図９に示す位置に移動しても、表示モジュール５０は連動装置５６の第三留め具８４と表示装置５２の連動で電子装置６４の第二開口７０を図９に示す位置に移動し、電子装置６４の第二開口７０と表示装置５２の第一開口６０を実質的に同じ水平レベルにさせる。そうすると、表示装置がチェストに相対して回転した後、両開口の位置の偏移により記憶媒体（例えば光ディスク）を表示装置の開口から電子装置に挿入できない問題は解決できる。同じく、表示装置５２をチェスト５４に相対して左回りに一定角度回転すれば（図１０を参照）、電子装置６４の第二開口７０は連動装置５６の第三留め具８４と表示装置５２の連動により、偏移した第一開口６０と実質的に同じ水平レベルに移動し、電子装置６４の記憶媒体（例えば光ディスク）を第一開口６０を通して第二開口７０に挿入することを可能にする。この場合、素子間の動作はいずれも前述と同じため、ここで説明を省略する。
【００１０】
最後に図１１を参照する。図１１は本考案の実施例３による表示モジュール１００の透視図である。表示モジュール１００は表示装置１０２と、チェスト１０４と、連動装置１０６とを含む。表示装置１０２の表示側１０８には第一開口１１０が設けられ、表示装置１０２は例えば液晶スクリーンである。チェスト１０４は表示装置１０２の表示側１０８の反対側に設けられている。図１２を参照する。図１２は図１１に示すチェスト１０４と連動装置１０６の分解図である。図１２に示すように、チェスト１０４は筐体１１２（図１１を参照）と、電子装置１１４と、フレーム１１６と、シャシー１１８とを含む。電子装置１１４は図１１に示す筐体１１２内に設置され、表示装置１０２の第一開口１１０に対応する第二開口１２０を備える。電子装置１１４は光ディスクまたはメモリカードリーダーである。フレーム１１６は筐体１１２に固定されて電子装置１１４の一側に設けられ、第一ガイドレール１２２と第二ガイドレール１２４を備える。シャシー１１８は電子装置１１４を載せる。図１２に示すように、チェスト１０４は更に第一ネジ１２６を備える。第一ネジ１２６はシャシー１１８に固設されフレーム１１６に枢設され、シャシー１１８がフレーム１１６の第一レール１２２に沿って移動することを可能にする。また、図１１と図１２に示すように、連動装置１０６はシャシー１１８に枢設され表示装置１０２と筐体１１２に固定されている。本実施例では、連動装置１０６は回転軸装置１２８と、第一連接棒１３０と、第二連接棒１３２と、少なくとも１つの位置決め具１３４を含む。回転軸装置１２８は回転軸１３６と、第一留め具１３８と、第二留め具１４０とを含む。第一留め具１３８は回転軸１３６に穿設され表示装置１０２に連結されている。言い換えれば、第一留め具１３８と回転軸１３６は表示装置１０２と連動する。第二留め具１４０は回転軸１３６に穿設されチェスト１０４の筐体１１２に固定されている（図１１を参照）。第一連接棒１３０は回転軸１３６に穿設され、第二連接棒１３２はシャシー１１８と第一連接棒１３０に枢設されている。第二連接棒１３２は第一連接棒１３０とともに回転してシャシー１１８を駆動する。位置決め具１３４は回転軸１３６に穿設され、第一連接棒１３０と、回転軸１３６と、第一留め具１３８に摩擦力を与え、第一連接棒１３０と、回転軸１３６と、第一留め具１３８が表示装置１０２とともに回転することを可能にする。本実施例では、位置決め具１３４は例えば摩擦パッドである。また、図１２に示すように、連動装置１０６は更に少なくとも１つの第一ナット１４２と、第二ネジ１４４と、第三ネジ１４６とを含み、ナット１４２は回転軸１３６に螺設され、位置決め具１３４の摩擦力を調整する。第二ネジ１４４は第一連接棒１３０に固設され第二連接棒１３２に枢設され、第一連接棒１３０が第二連接棒１３２に相対して回転することを可能にする。第三ネジ１４６はシャシー１１８に固設され第二連接棒１３２に枢設され、シャシー１１８がフレーム１１６の第二ガイドレール１２４に沿って移動することを可能にする。
【００１１】
次に表示装置１０２、チェスト１０４、及び連動装置１０６の動作関係について詳述する。図１３と図１４を参照する。図１３は図１１に示す表示モジュール１００の部分拡大図であり、図１４は図１１に示す表示装置１０２をチェスト１０４に相対して右回りに一定角度回転した後の部分拡大図である。図１３と図１４に示すように、表示装置１０２を図１３に示す位置から、チェスト１０４に相対して右回りに回転して図１４に示す位置に移動し、すなわち表示装置１０２の第一開口１１０が回転軸１３６に相対して図１４に示す位置に移動するとき、回転軸装置１２８の第一留め具１３８が表示装置５２に連結され、第一連結棒１３０が回転軸１３６に穿設されているので、表示装置１０２が回転するとともに第一留め具１３８は位置決め具１３４の摩擦力により回転軸１３６と第一連結棒１３０を回転させ、第二連結棒１３２を連動させる。第二連結棒１３２はシャシー１１８に枢設され、前述のようにシャシー１１８はフレーム１１６の第一レール１２２に沿って移動できるので、第二連結棒１３２は、表示装置１０２の第一開口１１０が回転軸１３６に相対して図１４に示す位置に回転すると同時に、シャシー１１８を第一ガイドレール１２２と第二ガイドレール１２４内に摺動させ回転させることで、電子装置１１４の第二開口１２０を図１４に示す位置に移動する。表示装置１０２の第一開口１１０と電子装置１１４の第二開口１２０が図１４に示す位置に移動した後、第一開口１１０と第二開口１２０は位置決め具１３４の摩擦力により図１４に示す位置に固定される。図１４に示すように、第一開口１１０の位置と第二開口１２０の位置は実質的に同じ水平レベルにある。したがって、表示装置１０２をチェスト１０４に相対して右回りに回転して、表示装置１０２の第一開口１１０を図１４に示す位置に移動しても、表示モジュール１００は連動装置１０６と表示装置１０２の連動で電子装置１１４の第二開口１２０を図１４に示す位置に移動し、電子装置１１４の第二開口１２０と表示装置１０２の第一開口１１０を実質的に同じ水平レベルにさせる。そうすると、表示装置がチェストに相対して回転した後に、両開口の位置の偏移により記憶媒体（例えば光ディスク）を表示装置の開口から電子装置に挿入できない問題は解決できる。同じく、表示装置１０２をチェスト１０４に相対して左回りに一定角度回転すれば（図１５を参照）、電子装置１１４の第二開口１２０は連動装置１０６と表示装置１０２の連動により、偏移した第一開口１１０と実質的に同じ水平レベルに移動し、電子装置１１４の記憶媒体（例えば光ディスク）を第一開口１１０を通して第二開口１２０に挿入することを可能にする。この場合、素子間の動作はいずれも前述と同様なため、ここで説明を省略する。
【００１２】
特筆すべきは、連動装置１０６の第二連結棒１３２が表示装置１０２の回転とともにシャシー１１８をフレーム１１６の第二ガイドレールの最頂部または最底部に移動するとき、回転軸１３６と第一連結棒１３０との間の摩擦力はフレーム１１６と筐体１１２との間の固定力より小さいので、第一連結棒１３０は空回りしてシャシー１１８を第二ガイドレールの最頂部または最底部にとまらせる。言い換えれば、シャシー１１８のスウィング幅はフレーム１１６の第二ガイドレール１２４の構造設計で制限できる。
【００１３】
ディスクドライブを液晶スクリーンの側面に設置するか、開口を拡大する従来の構造設計と比べて、本考案による表示モジュールでは、対応する記憶媒体をディスクドライブに正確かつ迅速に挿入することを可能にするために、ディスクドライブに対応する液晶スクリーンの開口を液晶スクリーンの表示側に設ける上で、表示パネル、連動装置、及びディスクドライブの連動を利用して表示パネルの回転に伴う開口の偏移を解消する。したがって、便利性と美観性を兼ね備えたＬＣＤ−ＰＣは作成できる。
【００１４】
以上は本考案に好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の実用新案登録請求の範囲に属するものとする。
【図面の簡単な説明】
【００１５】
【図１】本考案の実施例１による表示モジュールの透視図である。
【図２】図１に示すチェストと連動装置の分解図である。
【図３】図１に示す表示モジュールの部分拡大図である。
【図４】図１に示す表示装置をチェストに相対して右回りに一定角度回転した後の部分拡大図である。
【図５】図１に示す表示装置をチェストに相対して左回りに一定角度回転した後の部分拡大図である。
【図６】本考案の実施例２による表示モジュールの透視図である。
【図７】図６に示すチェストと連動装置の分解図である。
【図８】図６に示す表示モジュールの部分拡大図である。
【図９】図６に示す表示装置をチェストに相対して右回りに一定角度回転した後の部分拡大図である。
【図１０】図６に示す表示装置をチェストに相対して左回りに一定角度回転した後の部分拡大図である。
【図１１】本考案の実施例３による表示モジュールの透視図である。
【図１２】図１１に示すチェストと連動装置の分解図である。
【図１３】図１１に示す表示モジュールの部分拡大図である。
【図１４】図１１に示す表示装置をチェストに相対して右回りに一定角度回転した後の部分拡大図である。
【図１５】図１１に示す表示装置をチェストに相対して左回りに一定角度回転した後の部分拡大図である。
【符号の説明】
【００１６】
１０、５０、１００    表示モジュール
１２、５２、１０２    表示装置
１４、５４、１０４    チェスト
１６、５６、１０６    連動装置
１８、５８、１０８    表示側
２０、６０、１１０    第一開口
２２、６２、１１２    筐体
２４、６４、１１４    電子装置
２６、６６、１１６    フレーム
２８、６８、１１８    シャシー
３０、７０、１２０    第二開口
３２、７２、１２２    第一ガイドレール
３４、７４、１２６    第一ネジ
３６、７６、１３６    回転軸
３８、７８、１３８    第一留め具
４０、８０、１４０    第二留め具
４２、８２、１４４    第二ネジ
４４、８４            第三留め具
４６、８６、１３４    位置決め具
４８、８８、１４２    ナット
１２４                第二ガイドレール
１２８                回転軸装置
１３０                第一連結棒
１３２                第二連結棒
１４６                第三ネジ
【図１】
0003145188.tif 000003
【図２】
0003145188.tif 000004
【図３】
0003145188.tif 000005
【図４】
0003145188.tif 000006
【図５】
0003145188.tif 000007
【図６】
0003145188.tif 000008
【図７】
0003145188.tif 000009
【図８】
0003145188.tif 000010
【図９】
0003145188.tif 000011
【図１０】
0003145188.tif 000012
【図１１】
0003145188.tif 000013
【図１２】
0003145188.tif 000014
【図１３】
0003145188.tif 000015
【図１４】
0003145188.tif 000016
【図１５】
0003145188.tif 000017